(57)【要約】【課題】  人や荷物等が接触した際にも破損しにくい商品陳列用フックを提供する。【解決手段】  受け部材と、アームとを備え、アームは軸を有し、受け部材は軸受け部を有し、軸受け部は、軸を挟んで左右の縁部が連続または近接していて、左右の縁部は傾斜しており、軸は、軸受け部に回動自在に支持されていて、アームまたは軸の側部に設けた当接部が前後方向を向く位置から左右の縁部に当接する位置へ移動したときに、アームが自重で回動自在であることを特徴とする商品陳列用フック。【選択図】      図１
2019213850.tif 000002
【特許請求の範囲】
【請求項１】
受け部材と、アームとを備え、アームは軸を有し、受け部材は軸受け部を有し、
軸受け部は、軸を挟んで左右の縁部が連続または近接していて、左右の縁部は傾斜しており、
軸は、軸受け部に回動自在に支持されていて、アームまたは軸の側部に設けた当接部が前後方向を向く位置から左右の縁部に当接する位置へ移動したときに、アームが自重で回動自在であることを特徴とする商品陳列用フック。
【請求項２】
受け部材と、アームとを備え、受け部材は軸を有し、アームは軸受け部を有し、
軸受け部は、軸を挟んで左右の縁部が連続または近接していて、左右の縁部は傾斜しており、
軸は、軸受け部に回動自在に支持されていて、軸受け部の縁部が前後方向を向く位置から、受け部材または軸の側部に設けた当接部に当接する位置に移動したときに、アームが自重で回動自在であることを特徴とする商品陳列用フック。
【発明の詳細な説明】
【技術分野】
【０００１】
本発明は、商品陳列用フックに関する。
【背景技術】
【０００２】
従来、商品陳列用什器のネットに引っ掛けて使用する、棒状のアームに商品を吊り下げて陳列する商品陳列用フックは、アームが通路へと飛び出しているため、人や荷物等が接触してアームに外力が働いた際に破損しやすいといった問題があった。
【先行技術文献】
【非特許文献】
【０００３】
【非特許文献１】「タテヤマゴンドラ  店舗用陣列什器  総合カタログ2015-2016（098221SE）」、三協立山株式会社タテヤマアドバンス社、p.208
【発明の概要】
【発明が解決しようとする課題】
【０００４】
本発明は上記課題に鑑み、アームに外力が作用した際にも破損しにくい商品陳列用フックを提供することを目的とする。
【課題を解決するための手段】
【０００５】
請求項１記載の商品陳列用フックは、受け部材と、アームとを備え、アームは軸を有し、受け部材は軸受け部を有し、軸受け部は、軸を挟んで左右の縁部が連続または近接していて、左右の縁部は傾斜しており、軸は、軸受け部に回動自在に支持されていて、アームまたは軸の側部に設けた当接部が前後方向を向く位置から左右の縁部に当接する位置へ移動したときに、アームが自重で回動自在であることを特徴とする。
【０００６】
請求項２記載の商品陳列用フックは、受け部材と、アームとを備え、受け部材は軸を有し、アームは軸受け部を有し、軸受け部は、軸を挟んで左右の縁部が連続または近接していて、左右の縁部は傾斜しており、軸は、軸受け部に回動自在に支持されていて、軸受け部の縁部が前後方向を向く位置から、受け部材または軸の側部に設けた当接部に当接する位置に移動したときに、アームが自重で回動自在であることを特徴とする。
【発明の効果】
【０００７】
本発明のうち請求項１の発明によれば、アームが回動する構成であるので、人や荷物がアームに接触あるいは衝突して外力が働いた際にも、その力を逃すことができるため、フックが破損し難く、また、フックに接触した人や物を傷つけるのも防ぐことができる。さらに、接触していた人や物がアームから離れた際には、当接部が左右の縁部に乗り上げた状態から自重によって縁部上を摺動し元の位置へと戻ることで、アームが自動的に元の位置に戻るので、アームを手動で元の位置へと戻す手間を省くことができる。
【０００８】
本発明のうち請求項２の発明によれば、アームが回動する構成であるので、人や荷物がアームに接触あるいは衝突して外力が働いた際にも、その力を逃すことができるため、フックが破損し難く、また、フックに接触した人や物を傷つけるのも防ぐことができる。さらに、接触していた人や物がアームから離れた際には、左右の縁部が当接部に乗り上げた状態から自重によって当接部上を摺動し元の位置へと戻ることで、アームが自動的に元の位置に戻るので、アームを手動で元の位置へと戻す手間を省くことができる。
【図面の簡単な説明】
【０００９】
【図１】（ａ）（ｂ）は、第一実施形態におけるアームの回動を説明する斜視図である。
【図２】第一実施形態における受け部材の部品図である。
【図３】第一実施形態におけるアームの部品図である。
【図４】第一実施形態における、アームの回動角が最大のときのフックを（ａ）は下側から、（ｂ）は後側から見た斜視図である。
【図５】（ａ）（ｂ）は、第二実施形態におけるアームの回動を説明する斜視図である。
【図６】（ａ）（ｂ）は、第三実施形態におけるアームの回動を説明する斜視図である。
【図７】（ａ）（ｂ）は、第三実施形態におけるアームの回動を説明する側面図である。
【図８】第三実施形態における受け部材の部品図である。
【図９】第三実施形態におけるアームの部品図である。
【図１０】従来の商品陳列用フックを示す斜視図である。
【発明を実施するための形態】
【００１０】
以下、本発明の実施の形態を図面に基づいて説明する。本発明の商品陳列用フック（以下、フックとする）の使用場所は特に限定されるものではないが、ここでは被取付体である商品陳列用什器の有する縦横に配されたメッシュ状の線材のうち、横線材に係合させて使用する場合を示す。なお、以下において左右方向とは図１及び図６におけるＸ軸方向を示し、前後とは図１及び図６におけるＹ軸正方向及び負方向を示すものとする。
【００１１】
本発明のフックの第一実施形態について、図１乃至図４を用いて説明する。図１（ａ）は、アーム３が正面（Ｙ軸正方向）を向いた通常状態を示し、図１（ｂ）は、アーム３が通常状態から回動し、その回動角が最大である状態を示す。
【００１２】
フックは、商品陳列用什器の横線材に係合する受け部材１と、商品を吊り下げるアーム３と、鉛直方向に配され、アーム３の一端が連結された軸４と、アーム３及び軸４に連結された当接部５とで構成されている。
【００１３】
まず、アーム３が正面（Ｙ軸正方向）を向いた通常状態について説明する。
【００１４】
受け部材１は、略長方形平板状の基部１１と、商品陳列用什器の横線材に係合する係合部１２と、一対の軸受け部１３，１６と、凸部２２とで構成されている。
基部１１は、前側の上下左右略中央部において前記軸４と接する当接部２３を有している。
係合部１２は、基部１１の上端から後方へと伸びて形成されていて、係合部１２が商品陳列用什器の横線材に上から係合することで、フックが商品陳列用什器に取り付けられる。
上方の軸受け部１３は、略平板状の腕部１４，１４と、平面視略円弧状の支持部１５とで平面視略Ｕ字状に構成されている。腕部１４，１４は、基部１１の前面の上端部において軸４の左右両側から前方へと伸びて形成されており、腕部１４，１４の前端から伸びて、軸４の上部を回動自在に支持する支持部１５が形成されている。
下方の軸受け部１６は、略平板状の左右の壁部１７，１７と、平面視略円弧状の支持部１８とで平面視略Ｕ字状に構成されている。壁部１７，１７は、基部１１の前面の下端部において軸４の左右両側から前方へと伸びて形成されており、壁部１７，１７の前端から伸びて、軸４の下部を回動自在に支持する支持部１８が形成されている。図４に示すように、壁部１７，１７の内壁の上下方向中間部には、略水平な下面を有する段差部２４，２４が設けられている。また、支持部１８の内壁の上縁部にはその全長にわたり、上側が内側へと突出した段差部２０が設けられていて、段差部２０の下面と段差部２４，２４の下面は互いに連続している。軸受け部１６の上面（縁部）１９は、前方へと下降した傾斜面であって、前端部（支持部１８の左右方向中央部）において、下方へと略Ｖ字状に窪んだ保持溝２１を有する。
凸部２２は、基部１１の下端において後方へと突出して設けられた略直方体状の部分であって、係合部１２を商品陳列用什器の横線材に係合させた際には、下方に位置する別の横線材に対して、その下面に凸部２２の上面が当接した状態となるよう前方から嵌め込むことができる。
【００１５】
アーム３は、軸４の中央下部から前方へと伸びて形成されていて、前端には上方へ向けて屈曲したフック部３１を有する。
【００１６】
軸４は、略円柱形であり、受け部材１の軸受け部１３，１６によって回動自在に支持されていて、前面の上部及び下部には突起部４１，４２を有している。軸４の上端面は軸受け部１３の上端面と略面一であり、軸４の下端面は軸受け部１６の下端面と略面一である。
突起部４１は、軸受け部１３よりも下方に位置していて、軸４が押し上げられた際に軸受け部１３を通り抜けることのできない寸法となっている。
突起部４２は、段差部２０の下面よりも下方に位置していて、形状は丸みを帯びており、軸４が所定以上の力で上方へと押された際にのみ段差部２０を乗り越えることのできる寸法である。
【００１７】
当接部５は、軸４の下部から前方へ伸びて形成された略長方形平板状であって、アーム３の基部１１の下端と一体成型されていて、丸みを帯びた形状の下端部において、保持溝２１に納まっている。当接部５は保持溝２１に納まっていることで、保持溝２１がない場合に比べて、保持溝２１の左右の縁部１９上に容易には乗り上げることができなくなっている。つまり、アーム３が正面を向いた状態からの軸４の回動はある程度規制され、僅かな振動等ではアーム３が左右に回動することがない。
【００１８】
次に、アーム３が通常状態から回動した図１（ｂ）の状態について説明する。人や荷物がアーム３に接触して左右方向の外力が働くと、アーム３は軸４を中心として左右に回動する。このとき、当接部５の下端面は保持溝から左右の縁部１９上に乗り上げたのち、縁部１９上を這い上がるように摺動し、突起部４２は図４のように段差部２０の下面に沿って摺動する。すると、軸４及びアーム３は上方へと持ち上がり、軸４の上端は軸受け部１３の上端面よりも上方に突出する。突起部４２は段差部２４を乗り越えることができない寸法であって、アーム３の回動角が最も大きいときには、突起部４２は、段差部２４の下面および段差部２０の下面に当接している。これにより軸４の下端部の上方および前方への動きが規制されており、その結果、軸４が軸受け部１６から抜けてしまうことがない。
その後、接触していた人や荷物がアーム３から離れると、アーム３及び軸４は自重の働きでそれまでとは逆方向に回動し、自動的に通常状態へと戻る。このとき、当接部５の下端面は縁部１９上を滑り落ちるように摺動する。そして、当接部５の下端が保持溝２１に納まり、通常状態となる。
【００１９】
次いで、受け部材１への軸４の取り付け及び取り外しの方法を説明する。受け部材１に軸４を取り付ける際にはまず、軸４の上端を軸受け部１３に対し前方から斜め上方向に挿入する。そして、軸４を鉛直にしたのち、軸４の下端を軸受け部１６に上方から挿入する。なおこのときには、突起部４２が段差部２０を乗り越えられる所定以上の力を加える。以上で取り付けが完了する。なお、受け部材１から軸４を取り外す際には、上記の取り付けとは逆の手順を踏めばよい。
【００２０】
次に、本発明の第一実施形態におけるフックの構成による作用及び効果について説明する。
【００２１】
本発明のフックは、人や荷物がアーム３に接触して左右方向の外力が働くと、アーム３は軸４を中心として左右に回動する。このような構成によれば、人や荷物がアーム３に接触あるいは衝突して外力が働いた際にもその力を逃すことができるため、フックが破損せず、また、フックに接触した人や物を傷つけることも防ぐことができる。
【００２２】
さらに、接触していた人や荷物がアーム３から離れた際には、アーム３及び軸４は自重の働きでそれまでとは逆方向に回動し、自動的に通常状態へと戻る。このような構成によれば、アーム３を手動で元の位置へと戻す手間を省くことができる。
【００２３】
また、当接部５は通常状態において保持溝２１に納まっていることで、保持溝２１の左右の縁部１９上に容易には乗り上げることができなくなっている。このような構成によれば、アーム３が正面を向いた状態からの軸４の回動はある程度規制され、僅かな振動等ではアーム３が左右に回動することがない。また、接触していた人や荷物がアーム３から離れ、アーム３が通常状態へと戻る際には、アーム３が正面を向いた状態を通り過ぎて回動を続けるということがなく、アーム３は正面を向いた位置で止まる。したがって、アーム３に掛けた商品は不必要に動くことなく、安定して陳列される。
【００２４】
そして、突起部４１は、軸受け部１３よりも下側に位置していて、軸４が押し上げられた際に軸受け部１３を通り抜けることのできない寸法となっている。このような構成によれば、外部からの衝撃等によってアーム３及び軸４が上方へと押し上げられた際にも、軸４の上下方向の移動が規制されているので、軸４が軸受け部１３，１６から外れ難くなる。
【００２５】
また、突起部４２は、通常状態および回動状態において、段差部２０の下面よりも下側に位置していて、形状は丸みを帯びており、軸４が所定以上の力で上方へと押された際にのみ段差部２０を乗り越えることのできる寸法である。このような構成によれば、外部からの衝撃等によってアーム３及び軸４が上方へと押し上げられた際にも、軸４が軸受け部１６から抜け難くなる。突起部４２は段差部２４を乗り越えることができない寸法であって、図４のようにアーム３の回動角が最も大きいときには、突起部４２は、段差部２４の下面および段差部２０の下面に当接している。これにより軸４の下端部の上方および前方への動きが規制されており、その結果、軸４が軸受け部１６から抜けてしまうことがない。
【００２６】
そして、係合部１２を商品陳列用什器の横線材に上から係合させた際に、下方に位置する別の横線材の下面に凸部２２の上面が当接する構成であるので、フックに掛けられた商品に人が手を触れた際等にフックが上下方向に動くことなく、商品を安定して陳列可能である。
【００２７】
図５には、本発明の第二実施形態を示す。基本構成は前述の第一実施形態と同じであるが、以下の点で相違する。
フックは、陳列商品の情報等を表示するための表示部６を備える。表示部６は、表示用アーム６１と、陳列商品の情報カード６３と、表示用アーム６１の先端に連結され、情報カード６３を保持する保持具６２から構成されている。表示用アーム６１は、アーム３よりも上方において軸４の前面から前方へ伸びて、アーム３と平行に形成されている。表示部６あるいはアーム３に人や物が接触した際には、表示部６及びアーム３が、軸４を中心として左右に回動する。その後、接触していた人や荷物が表示部６あるいはアーム３から離れると、表示部６及びアーム３は自重の働きでそれまでとは逆方向に回動し、自動的に通常状態へと戻る。
【００２８】
次に、本発明の第二実施形態におけるフックの構成による作用及び効果について説明する。
【００２９】
表示部あるいはアーム３に人や物が接触した際には、表示部６及びアーム３が、軸４を中心として左右に回動する構成であるので、人や荷物がアーム３に接触あるいは衝突して外力が働いた際にもその力を逃すことができるため、フックが破損せず、また、フックに接触した人や物を傷つけることも防ぐことができる。
【００３０】
さらに、接触していた人や荷物が表示部６あるいはアーム３から離れた際には、表示部６及びアーム３は自重の働きでそれまでとは逆方向に回動し、自動的に通常状態へと戻る。このような構成によれば、表示部６及びアーム３を手動で元の位置へと戻す手間を省くことができる。
【００３１】
次に、本発明のフックの第三実施形態について、図６乃至図９を用いて説明する。図６（ａ）及び図７（ａ）は、アーム３０が正面（Ｙ軸正方向）を向いた通常状態を示し、図６（ｂ）及び図７（ｂ）は、アーム３０が通常状態から回動し、その回動角が最大である状態を示す。
【００３２】
フックは、商品陳列用什器の横線材に係合する受け部材１０と、商品を吊り下げるアーム３０と、アーム本体部３２０と、鉛直方向に配された略円柱形の軸４０と、受け部材１０と軸４０とを連結する当接部５０とで構成されている。
【００３３】
まず、アーム３０が正面（Ｙ軸正方向）を向いた通常状態について説明する。
【００３４】
アーム本体部３２０は、略長方形平板状の基部３２１と、下方の軸受け部３３０と、上方の軸受け部３６０とから構成されている。
下方の軸受け部３３０は、略平板状の左右の腕部３４０，３４０と、平面視略半円状の支持部３５０とで構成されている。腕部３４０，３４０は、基部３２１の後面の下端部において軸４０の左右両側から後方へと伸びて形成されており、腕部３４０，３４０の後端から伸びて、軸４０の下部を回動自在に支持する支持部３５０が平面視略Ｕ字状に形成されている。
上方の軸受け部３６０は、略平板状の左右の壁部３７０，３７０と、平面視略半円状の支持部３８０とで構成されている。壁部３７０，３７０は、基部３２１の後面の上端部において軸４０の左右両側から後方へと伸びて形成されており、壁部３７０，３７０の後端から伸びて軸４０の上部を回動自在に支持する支持部３８０が平面視略Ｕ字状に形成されている。軸受け部３６０の下面（縁部）３９０は、前方へと下降した傾斜面であり、後端部（支持部３８０の左右方向中央部）において、受け部材１０の当接部５０の上面に当接している。
【００３５】
アーム３０は、アーム本体部３２０の基部３２１の中央下部から前方へと伸びて形成されていて、前端には上方へ向けて屈曲したフック部３１０を有する。
【００３６】
受け部材１０は、略長方形平板状の基部１１０と、商品陳列用什器の横線材に係合する係合部１２０と、凸部１３０とで構成されている。
係合部１２０は、基部１１０の上端から後方へと伸びて形成されていて、係合部１２０が商品陳列用什器の横線材に上から係合することで、フックが商品陳列用什器に取り付けられる。
凸部１３０は、基部１１０の下端において後方へと突出して設けられた略直方体状の部分であって、係合部１２０を商品陳列用什器の横線材に係合させた際には、下方に位置する別の横線材に対して、その下面に凸部１３０の上面が当接した状態となるよう前方から嵌め込むことができる。
【００３７】
軸４０は、アーム本体部３２０の支持部３５０，３８０によって回動自在に支持されていて、軸４０の上端面は軸受け部３６０の上端面と略面一であり、軸４０の下端面は軸受け部３３０の下端面と略面一である。
【００３８】
当接部５０は、基部３２１の左右方向中央部から前方へと伸びて形成された略直方体状であって、軸４０の後端部と一体成型されていて、丸みを帯びた形状の上端面において、縁部３９０に当接している。また、アーム３０等への外力によって軸４０が上方へと移動した際には、当接部５０の下端は、軸受け部３３０の上面に当接する。このとき、軸４０の上端部は軸受け部３６０によって保持されたままであるので、軸４０が軸受け部３６０から抜けてしまうことがない。
【００３９】
次に、アーム３０が通常状態から回動した状態について説明する。図６（ｂ）及び図７（ｂ）に示すように、人や荷物がアーム３０に接触して左右方向の外力が働くと、アーム３０及びアーム本体部３２０は軸４０を中心として左右に回動する。このとき、縁部３９０が当接部５０の上端面に当接した状態で摺動するので、アーム本体部３２０及びアーム３０は上方へと持ち上がり、軸４０の下端は軸受け部３３０の下端面よりも下方に位置する。また、アーム３０の回動角が最大のとき、当接部５０の下端が軸受け部３３０の上面に当接しているため、軸４０はそれ以上上方へと移動することはできなくなっており、その結果、軸４０が軸受け部３６０から抜けてしまうことがない。
その後、接触していた人や荷物がアーム３０から離れると、アーム３０及びアーム本体部３２０は自重の働きでそれまでとは逆方向に回動し、自動的に通常状態へと戻る。このとき、縁部３９０は当接部５０の上端部に当接したまま、縁部３９０の中央部が当接部５０に当接するまで摺動する。
【００４０】
次に、本発明の第三実施形態におけるフックの構成による作用及び効果について説明する。
【００４１】
本発明のフックは、人や荷物がアーム３０に接触して左右方向の外力が働くと、アーム３０は軸４０を中心として左右に回動する。このような構成によれば、人や荷物がアーム３０に接触あるいは衝突して外力が働いた際にもその力を逃すことができるため、フックが破損せず、また、フックに接触した人や物を傷つけることも防ぐことができる。
【００４２】
さらに、接触していた人や荷物がアーム３０から離れた際には、アーム３０及びアーム３０本体部は自重の働きでそれまでとは逆方向に回動し、自動的に通常状態へと戻る。このような構成によれば、アーム３０を手動で元の位置へと戻す手間を省くことができる。
【００４３】
また、係合部１２０を商品陳列用什器の横線材に上から係合させた際に、下方に位置する別の横線材の下面に凸部１３０の上面が当接する構成であるので、フックに掛けられた商品に人が手を触れた際等にフックが上下方向に動くことなく、商品を安定して陳列可能である。
【００４４】
また、アーム３０等への外力によって軸４０が上方へと移動した際には、当接部５０の下端は、軸受け部３３０の上面に当接する。このとき、軸４０の上端部は軸受け部３６０によって保持されたままであるので、軸４０が軸受け部３６０から抜けてしまうことがない。また、アーム３０の回動角が最大のとき、当接部５０の下端が軸受け部３３０の上面に当接しているため、軸４０はそれ以上上方へと移動することはできなくなっており、その結果、軸４０が軸受け部３６０から抜けてしまうことがない。
【００４５】
本発明は、上記の実施形態に限定されない。例えば、本発明の商品陳列用フックは、商品陳列用什器に限らず様々な被取付体に広く取付可能である。
【符号の説明】
【００４６】
１    受け部材
１３    軸受け部
１６    軸受け部
１９    縁部
３    アーム
４    軸
５    当接部
１０    受け部材
３０    アーム
４０    軸
５０    当接部
３３０    軸受け部
３６０    軸受け部
３９０    縁部
【図１】
2019213850.tif 000003
【図２】
2019213850.tif 000004
【図３】
2019213850.tif 000005
【図４】
2019213850.tif 000006
【図５】
2019213850.tif 000007
【図６】
2019213850.tif 000008
【図７】
2019213850.tif 000009
【図８】
2019213850.tif 000010
【図９】
2019213850.tif 000011
【図１０】
2019213850.tif 000012